(57)【特許請求の範囲】
【請求項１】
コンピュータが実行する、
店舗を識別する店舗識別情報と、前記店舗において決済を行うための決済用コードを用いて決済可能な金額の下限が定められた、前記決済用コードを用いて決済可能な金額の範囲を示す範囲情報とを関連付けて記憶部に記憶させるステップと、
前記店舗において前記決済用コードを読み取ったユーザ端末から、前記ユーザ端末のユーザが前記ユーザ端末に入力した前記ユーザの前記店舗における決済金額と、前記決済用コードが示す決済用トークンとを受信するステップと、
前記ユーザ端末から受信した前記決済金額が、前記ユーザ端末から受信した前記決済用トークンに対応する前記店舗識別情報に関連付けられて前記記憶部に記憶されている前記範囲情報が示す前記金額の範囲に含まれていることを条件として、前記ユーザ端末から受信した前記決済金額と前記決済用トークンとに基づいて決済を実行するステップと、
を有する決済処理方法。
【請求項２】
前記コンピュータが実行する、前記店舗に対応する前記金額の範囲を決定するステップをさらに有し、
前記記憶部に記憶させるステップにおいて、前記コンピュータは、前記店舗に対応する前記店舗識別情報と、前記店舗に対して決定した前記金額の範囲を示す前記範囲情報とを関連付けて前記記憶部に記憶させる、
請求項１に記載の決済処理方法。
【請求項３】
前記コンピュータが実行する、前記店舗の店舗端末から前記範囲情報を受信するステップをさらに有し、
前記決定するステップにおいて、前記コンピュータは、前記店舗端末から受信した前記範囲情報に基づいて、前記店舗の前記金額の範囲を決定する、
請求項２に記載の決済処理方法。
【請求項４】
前記決定するステップにおいて、前記コンピュータは、前記店舗の業種を特定し、特定した店舗の業種に基づいて前記金額の範囲を決定する、
請求項２に記載の決済処理方法。
【請求項５】
前記決定するステップにおいて、前記コンピュータは、前記店舗における過去の決済金額に基づいて前記金額の範囲を決定する、
請求項４に記載の決済処理方法。
【請求項６】
前記決定するステップにおいて、前記コンピュータは、前記店舗における現在から所定時間前までの期間の決済金額に基づいて前記金額の範囲を決定する、
請求項５に記載の決済処理方法。
【請求項７】
前記決定するステップにおいて、前記コンピュータは、第１の金額以上を前記金額の範囲と決定する、
請求項４から６のいずれか１項に記載の決済処理方法。
【請求項８】
前記決定するステップにおいて、前記コンピュータは、第２の金額以下を前記金額の範囲と決定する、
請求項４から７のいずれか１項に記載の決済処理方法。
【請求項９】
前記コンピュータが実行する、前記ユーザ端末から受信した前記決済金額が、前記ユーザ端末から受信した前記決済用トークンに対応する前記店舗識別情報に関連付けられて前記記憶部に記憶されている前記範囲情報が示す金額の範囲に含まれていない場合に、前記決済金額が当該金額の範囲に含まれていないことにより決済を行うことができないことを示す情報を前記ユーザ端末に送信するステップをさらに有する、
請求項１から８のいずれか１項に記載の決済処理方法。
【請求項１０】
前記コンピュータが実行する、前記ユーザ端末から受信した前記決済金額が前記記憶部に記憶されている前記範囲情報が示す金額の範囲に含まれていない場合に、前記決済金額の再入力の要求を前記ユーザ端末に送信するステップをさらに有する、
請求項１から９のいずれか１項に記載の決済処理方法。
【請求項１１】
前記決済金額の再入力の要求を前記ユーザ端末に送信するステップにおいて、前記コンピュータは、前記ユーザ端末から受信した前記決済金額が前記記憶部に記憶されている前記範囲情報が示す金額の範囲に含まれていない場合に、前記金額の範囲を前記ユーザ端末に表示させる、
請求項１０に記載の決済処理方法。
【請求項１２】
前記コンピュータが実行する、前記ユーザ端末から、前記ユーザ端末において再入力された前記決済金額を受信するステップをさらに有する、
請求項１０又は１１に記載の決済処理方法。
【請求項１３】
前記再入力された前記決済金額を受信するステップにおいて、前記コンピュータは、前記決済用トークンを受信せずに、前記ユーザ端末から、前記ユーザ端末において再入力された前記決済金額を受信する、
請求項１２に記載の決済処理方法。
【請求項１４】
前記コンピュータが実行する、前記ユーザ端末から受信した再入力された前記決済金額が、前記記憶部に記憶されている前記範囲情報が示す金額の範囲に含まれているか否かにかかわらず、前記ユーザ端末から受信した前記決済金額に基づいて決済を実行するステップをさらに有する、
請求項１０から１３のいずれか１項に記載の決済処理方法。
【請求項１５】
店舗を識別する店舗識別情報と、前記店舗において決済を行うための決済用コードを用いて決済可能な金額の下限が定められた、決済用コードを用いて決済可能な金額の範囲を示す範囲情報とを関連付けて記憶部に記憶させる記憶制御部と、
前記店舗において前記決済用コードを読み取ったユーザ端末から、前記ユーザ端末のユーザが前記ユーザ端末に入力した前記ユーザの前記店舗における決済金額と、前記決済用コードが示す決済用トークンとを受信する決済用情報受信部と、
前記ユーザ端末から受信した前記決済金額が、前記ユーザ端末から受信した前記決済用トークンに対応する前記店舗識別情報に関連付けられて前記記憶部に記憶されている前記範囲情報が示す前記金額の範囲に含まれていることを条件として、前記ユーザ端末から受信した前記決済金額と、前記決済用トークンとに基づいて決済を実行する決済処理部と、
を有する決済処理装置。
【発明の詳細な説明】
【技術分野】
【０００１】
本発明は、決済処理方法及び決済処理装置に関する。
【背景技術】
【０００２】
ＱＲコード（登録商標）等の二次元バーコードを用いたコード決済が普及している。例えば、特許文献１には、ユーザ端末で店舗側が用意したコードを読み取り後、ユーザが端末を操作して購入金額を決定して、決済要求を行う方法が開示されている。
【先行技術文献】
【特許文献】
【０００３】
【特許文献１】特許第６２７１８００号公報
【発明の概要】
【発明が解決しようとする課題】
【０００４】
特許文献１に記載の決済方法では、ユーザが購入金額を決定するものであることから、店舗の店員が購入金額を確かめるようにすることが望ましい。しかしながら、店舗が混雑している場合には、ユーザが誤って購入金額を入力したことを店員が見逃してしまい、正しい購入金額で決済されないことがある。このため、誤った金額で決済されることを抑制することが求められている。
【０００５】
そこで、本発明はこれらの点に鑑みてなされたものであり、誤った金額で決済されることを抑制することができる決済処理方法及び決済処理装置を提供することを目的とする。
【課題を解決するための手段】
【０００６】
本発明の第１の態様に係る決済方法は、コンピュータが実行する、店舗を識別する店舗識別情報と、前記店舗において決済を行うための決済用コードを用いて決済可能な金額の範囲を示す範囲情報とを関連付けて記憶部に記憶させるステップと、前記店舗において前記決済用コードを読み取ったユーザ端末から、前記ユーザ端末のユーザの前記店舗における決済金額と、前記決済用コードが示す決済用トークンとを受信するステップと、前記ユーザ端末から受信した前記決済金額が、前記ユーザ端末から受信した前記決済用トークンに対応する前記店舗識別情報に関連付けられて前記記憶部に記憶されている前記範囲情報が示す前記金額の範囲に含まれている場合に、前記ユーザ端末から受信した前記決済金額と前記決済用トークンとに基づいて決済を実行するステップと、を有する。
【０００７】
本発明の第２の態様に係る決済処理装置は、店舗を識別する店舗識別情報と、前記店舗において決済を行うための決済用コードを用いて決済可能な金額の範囲を示す範囲情報とを関連付けて記憶部に記憶させる記憶制御部と、前記店舗において前記決済用コードを読み取ったユーザ端末から、前記ユーザ端末のユーザの前記店舗における決済金額と、前記決済用コードが示す決済用トークンとを受信する決済用情報受信部と、前記ユーザ端末から受信した前記決済金額が、前記ユーザ端末から受信した前記決済用トークンに対応する前記店舗識別情報に関連付けられて前記記憶部に記憶されている前記範囲情報が示す前記金額の範囲に含まれている場合に、前記ユーザ端末から受信した前記決済金額と、前記決済用トークンとに基づいて決済を実行する決済処理部と、を有する。
【発明の効果】
【０００８】
本発明によれば、誤った金額で決済されることを抑制することができるという効果を奏する。
【図面の簡単な説明】
【０００９】
【図１】決済システムの概要を示す図である。
【図２】決済処理装置の機能構成を示す図である。
【図３】ユーザ端末の機能構成を示す図である。
【図４】店舗端末の機能構成を示す図である。
【図５】決済システムの動作シーケンス図である。
【図６】図５に続く動作シーケンス図である。
【発明を実施するための形態】
【００１０】
［決済システムＳの概要］
図１は、決済システムＳの概要を示す図である。決済システムＳは、ユーザが店舗において商品又はサービスを購入する場合に、決済用コードを店舗端末に表示させ、ユーザ端末で決済用コードを読み取ったことを決済処理装置で特定したことに応じて決済を行うシステムである。決済用コードは、店舗での精算に用いられる店舗側の端末において読み取れるテキスト又は画像であり、決済時に用いられるコードである。なお、以下の説明において、商品又はサービスをまとめて、単に商品という。
【００１１】
決済システムＳは、決済処理装置１と、ユーザ端末２と、店舗端末３とを備える。決済処理装置１は、購入金額の決済を行うサーバである。ユーザ端末２は、ユーザが使用する情報端末であり、例えばスマートフォン、タブレット又はパーソナルコンピュータである。店舗端末３は、例えばＰＯＳ端末である。
【００１２】
本実施形態において、決済処理装置１は、店舗端末３が、店舗にユーザが来店し決済を行う場合に表示した決済用コードを読み取ったユーザ端末２から、当該決済用コードと、ユーザが、当該ユーザ端末２に入力した決済金額を取得することにより決済を実行する。
以下、図１を参照しながら、決済が完了するまでの流れを説明する。
【００１３】
店舗端末３は、ユーザが商品を購入する前に、予め決済用コードの発行要求と、店舗に関する店舗情報とを決済処理装置１に送信する（図１における（１））。店舗情報は、店舗を識別するための店舗識別情報としての店舗ＩＤを含んでもよい。
【００１４】
決済処理装置１は、店舗端末３から、決済用コードの発行要求と、店舗情報とを受信すると、決済用トークンを生成する（図１における（２））。決済用トークンは、店舗端末３がユーザに提示する決済用コードを店舗端末３が生成する際に用いるデータ列である。ここで、決済用トークンは、決済情報に含まれる店舗ＩＤにより特定される特定の店舗の場合のみ生成されてもよい。決済処理装置１は、生成した決済用トークンと、店舗情報を基に生成した店舗ＩＤとを関連付けて予め記憶媒体に記憶する（図１における（３））。生成される決済用トークンは、店舗ＩＤを含んでもよい。
【００１５】
決済処理装置１は、生成した決済用トークンを店舗端末３に送信する（図１における（４））。決済処理装置１は、決済用トークンを暗号化した後に、暗号化した決済用トークンを店舗端末３に送信してもよい。店舗端末３は、決済用トークンを受信すると、受信した決済用トークンを記憶部に記憶する。これにより、店舗端末３は、決済時に決済処理装置１に決済用トークンの発行を要求することなく記憶部に記憶されている決済用トークンに基づいて決済用コードを表示することができる。
【００１６】
ユーザは、店舗において商品の購入を行う。店舗における店員は、ユーザが店舗において会計を行う場合に、店舗端末３において購入対象の商品に付されたバーコードを読み取る。店舗端末３は、ユーザが購入する商品の合計額を示す店舗における決済金額を算出して表示する。また、店員は、店舗端末３において、決済用コードを店舗端末３に表示させるための操作を行う。店舗端末３は、受信した決済用トークンに基づいて決済用コードを生成して表示させる（図１における（５））。
【００１７】
ユーザ端末２は、例えばユーザの操作により、店舗端末３に表示された決済用コードを読み取る（図１における（６））。ユーザ端末２は、ユーザから、店舗が提示した決済金額の入力を受け付ける（図１における（７））。ユーザ端末２は、ユーザを識別するユーザＩＤと、決済金額と、読み取った決済用コードが示す決済用トークンとを決済処理装置１に送信する（図１における（８））。
【００１８】
決済処理装置１は、ユーザ端末２からユーザＩＤと、決済金額と、決済用トークンとを受信すると、受信した決済用トークンが、店舗端末３に送信した決済用トークンと一致するか否かを判定する。決済処理装置１は、決済用トークンが一致すると判定した場合に、決済用トークンに関連付けて記憶媒体に記憶されている店舗ＩＤを特定する（図１における（９））。決済処理装置１は、決済用トークンに店舗ＩＤが含まれている場合には、決済用トークンに含まれている店舗ＩＤを抽出し、当該店舗ＩＤが記憶部に記憶されているかを判定することにより、当該店舗ＩＤが正当であるかを判定してもよい。
【００１９】
決済処理装置１は、店舗ＩＤと、店舗においてコード決済により決済可能な金額の範囲を示す範囲情報とを関連付けて記憶している。決済可能な金額の範囲は、店舗で想定される決済金額の範囲を示している。決済処理装置１は、特定した店舗ＩＤに関連付けられている金額範囲に、受信した決済金額が含まれている場合に、受信したユーザＩＤ及び決済金額と、特定した店舗ＩＤとに基づいて決済処理を実行する（図１における（１０））。
【００２０】
決済システムＳが以上のように動作することで、決済処理装置１は、ユーザ端末２に入力された金額が、店舗で想定される決済金額の範囲に含まれていることを条件として決済を行うことができる。これにより、決済処理装置１は、決済金額が当該金額の範囲に含まれており、ユーザが決済金額を誤入力していない可能性が高い場合に限定して決済を行うことができるので、誤った金額で決済されることを抑制することができる。
以下、決済処理装置１、ユーザ端末２及び店舗端末３の構成の詳細を説明する。
【００２１】
［決済処理装置１の機能構成］
図２は、決済処理装置１の機能構成を示す図である。決済処理装置１は、通信部１１と、記憶部１２と、制御部１３とを有する。
【００２２】
通信部１１は、インターネット等のネットワークを介してユーザ端末２及び店舗端末３とデータを送受信するための通信インターフェースである。
【００２３】
記憶部１２は、各種のデータを記憶する記憶媒体であり、ＲＯＭ（Read Only Memory）、ＲＡＭ（Random Access Memory）、及びハードディスク等を有する。記憶部１２は、制御部１３が実行するプログラムを記憶する。記憶部１２は、制御部１３を、発行要求受信部１３１、トークン送信部１３２、記憶制御部１３３、決定部１３４、決済用情報受信部１３５、及び決済処理部１３６として機能させる決済用プログラムを記憶する。また、記憶部１２は、店舗ＩＤと、金額範囲情報とを関連付けて記憶する。
【００２４】
制御部１３は、例えばＣＰＵ（Central Processing Unit）である。制御部１３は、記憶部１２に記憶された決済用プログラムを実行することにより、発行要求受信部１３１、トークン送信部１３２、記憶制御部１３３、決定部１３４、決済用情報受信部１３５、及び決済処理部１３６として機能する。制御部１３の各部の動作の詳細については後述する。
【００２５】
［ユーザ端末２の機能構成］
図３は、ユーザ端末２の機能構成を示す図である。ユーザ端末２は、操作部２１と、通信部２２と、読取部２３と、表示部２４と、記憶部２５と、制御部２６とを有する。制御部２６は、操作受付部２６１と、表示制御部２６２と、取得部２６３と、送信部２６４とを有する。
【００２６】
操作部２１は、ユーザの操作を受け付ける操作デバイスであり、例えば表示部２４の表面に設けられたタッチパネルである。操作部２１は、ユーザがタッチした位置を示す信号を操作受付部２６１に通知する。
【００２７】
通信部２２は、例えば携帯電話網の基地局との間でデータを送受信するための無線通信インターフェースである。通信部２２は、取得した決済用トークン等を決済処理装置１に送信する。
【００２８】
読取部２３は、例えば、カメラであり、決済用コード等の画像を読み取る。読取部２３は、店舗端末３に表示された決済用コードを読み取る。
表示部２４は、各種の情報を表示するディスプレイである。
【００２９】
記憶部２５は、ＲＯＭ及びＲＡＭ等を含む記憶媒体である。記憶部２５は、制御部２６が実行するプログラムを記憶している。記憶部２５は、制御部２６を、操作受付部２６１、表示制御部２６２、取得部２６３、及び送信部２６４として機能させるプログラムを記憶する。
【００３０】
制御部２６は、例えばＣＰＵであり、記憶部２５に記憶されたプログラムを実行することにより、操作受付部２６１、表示制御部２６２、取得部２６３、及び送信部２６４として機能する。
【００３１】
操作受付部２６１、表示制御部２６２、取得部２６３は協働することにより、ユーザが店舗で決済を行うために必要な情報である、ユーザの店舗における決済金額と、決済用トークンとを取得する。
【００３２】
具体的には、まず、操作受付部２６１は、操作部２１から入力された信号に基づいて、店舗において決済を行う操作が行われたことを検出すると、表示制御部２６２を制御して、決済用コードを読み取ることを指示する読取指示画面を表示部２４に表示させる。取得部２６３は、読取指示画面が表示部２４に表示されると、読取部２３を駆動して、決済用コードの読取を開始させる。取得部２６３は、読取部２３が読み取った決済用コードを取得し、当該決済用コードが示す決済用トークンを取得する。
【００３３】
続いて、操作受付部２６１は、表示制御部２６２を制御して、決済金額の入力を受け付ける受付画面を表示部２４に表示させ、ユーザから、店舗における決済金額の入力を受け付ける。
【００３４】
送信部２６４は、ユーザＩＤと、操作受付部２６１が入力を受け付けた決済金額と、決済用トークンとを決済処理装置１に送信する。
【００３５】
［店舗端末３の機能構成］
図４は、店舗端末３の機能構成を示す図である。店舗端末３は、操作部３１と、読取部３２と、通信部３３と、表示部３４と、記憶部３５と、制御部３６とを有する。
【００３６】
操作部３１は、ユーザの操作を受け付ける操作デバイスであり、例えばユーザが購入する商品を選択するためのボタンや、表示部３４の表面に設けられたタッチパネルである。
【００３７】
読取部３２は、例えば、バーコードリーダであり、ユーザが購入する商品に付されているバーコードを読み取る。読取部３２は、読み取ったバーコードが示す情報を制御部３６に出力する。
【００３８】
通信部３３は、例えば決済処理装置１との間でデータを送受信するための通信インターフェースである。通信部３３は、制御部３６の制御に応じて、決済用コードの発行要求、店舗ＩＤ等を決済処理装置１に送信する。また、通信部３３は、決済処理装置１から決済用トークンを受信する。
【００３９】
表示部３４は、各種の情報を表示するディスプレイである。表示部３４は、例えば、決済金額や決済用コードを表示する。
【００４０】
記憶部３５は、ＲＯＭ及びＲＡＭ等を含む記憶媒体である。記憶部３５は、制御部３６が実行するプログラムを記憶している。記憶部３５は、制御部３６を、発行要求部３６１、トークン受信部３６２、範囲情報登録部３６３、金額表示部３６４、及びコード生成部３６５として機能させるプログラムを記憶する。また、記憶部３５は、商品ＩＤと、商品の価格とを関連付けた商品ＤＢを記憶する。
【００４１】
制御部３６は、例えばＣＰＵであり、記憶部３５に記憶されたプログラムを実行することにより、発行要求部３６１、トークン受信部３６２、範囲情報登録部３６３、金額表示部３６４、及びコード生成部３６５として機能する。
【００４２】
発行要求部３６１は、決済用コードの発行要求を決済処理装置１に送信する。具体的には、発行要求部３６１は、操作部３１が、決済用コードの発行要求を行う操作を受け付けると、店舗情報と、決済用コードの発行要求とを決済処理装置１に送信する。
【００４３】
トークン受信部３６２は、発行要求部３６１が決済用コードの発行要求を決済処理装置１に送信した後に、決済処理装置１から、決済用コードを表示するための決済用トークンを受信する。トークン受信部３６２は、受信した決済用トークンを記憶部３５に記憶させる。
【００４４】
範囲情報登録部３６３は、決済用コードを用いて決済可能な金額の範囲を示す範囲情報の登録要求を決済処理装置１に送信する。具体的には、範囲情報登録部３６３は、操作部３１が、範囲情報の登録要求を行う操作を受け付けると、操作部３１を介して、決済用コードを用いて決済可能な金額の範囲の入力を受け付ける。範囲情報登録部３６３は、受け付けた金額の範囲を示す範囲情報と、店舗情報とを含む範囲情報の登録要求を決済処理装置１に送信する。
【００４５】
金額表示部３６４は、操作部３１において店員が入力した商品ＩＤ又は読取部３２が商品に付されたバーコードから読み取った商品ＩＤを取得することにより、取得した商品ＩＤの商品を決済対象の商品と特定する。金額表示部３６４は、記憶部３５に記憶されている商品ＤＢを参照し、取得した商品ＩＤに関連付けられている商品の価格を特定する。金額表示部３６４は、操作部３１において店員が入力した商品ＩＤ又は読取部３２が商品に付されたバーコードから読み取った商品ＩＤを一以上取得し、当該商品ＩＤから特定した商品の価格を集計する。金額表示部３６４は、操作部３１において精算操作を受け付けると、集計した商品の価格を決済金額に決定し、表示部３４に表示させる。
【００４６】
コード生成部３６５は、操作部３１において精算操作を受け付けると、記憶部３５に記憶されている決済用トークンに基づいて決済用コードを生成し、生成した決済用コードを表示部３４に表示させる。
【００４７】
［制御部１３の各部の動作］
続いて、制御部１３の各部の動作について説明する。
発行要求受信部１３１は、店舗端末３から、店舗情報と、決済用コードの発行要求とを受信する。
【００４８】
トークン送信部１３２は、発行要求受信部１３１が決済用コードの発行要求を受信すると、決済用コードを生成するための決済用トークンを店舗端末３に送信する。具体的には、まず、トークン送信部１３２は、発行要求受信部１３１が決済用コードの発行要求を受信すると、決済用トークンを生成する。トークン送信部１３２は、店舗情報に基づいて店舗ＩＤを生成する。トークン送信部１３２は、店舗ＩＤを含む決済用トークンを生成してもよい。トークン送信部１３２は、生成した決済用トークンを、決済用コードの発行要求を送信した店舗端末３に送信する。
【００４９】
記憶制御部１３３は、発行要求受信部１３１が受信した店舗情報に基づく店舗ＩＤと、トークン送信部１３２が生成した決済用トークンとを関連付けて記憶部１２に記憶させる。
【００５０】
決定部１３４は、店舗において決済用コードを用いて決済可能な金額の範囲を決定する。例えば、決定部１３４は、店舗端末３から、店舗情報と、決済用コードを用いて決済可能な金額の範囲を示す範囲情報とを含む範囲情報の登録要求を受信すると、登録要求に含まれる範囲情報が示す金額の範囲を、受信した店舗情報に対応する店舗に対応する金額の範囲に決定する。記憶制御部１３３は、店舗に対応する店舗ＩＤと、当該店舗に対して決定部１３４が決定した金額の範囲を示す範囲情報とを関連付けて記憶部１２に記憶させる。
【００５１】
なお、決定部１３４は、登録要求に含まれる範囲情報が示す金額の範囲を、受信した店舗ＩＤに対応する店舗に対応する金額の範囲に決定したが、これに限らない。決定部１３４は、店舗端末３又は決済処理装置１の管理者から店舗の業種を示す情報を取得することにより、店舗の業種を特定し、特定した店舗の業種に基づいて金額の範囲を決定してもよい。決定部１３４は、例えば、店舗の業種が、１００円ショップや、飲食店等の下限の金額が予め定まっている業種である場合、下限の金額を第１の金額とし、第１の金額以上を金額の範囲と決定してもよい。
【００５２】
また、決定部１３４は、店舗における過去の決済金額を特定してもよい。例えば、後述する決済処理部１３６により決済が行われた場合、記憶制御部１３３は、店舗ＩＤと、決済金額と、決済日時とを関連付けて決済履歴情報として記憶部１２に記憶させておく。
【００５３】
決定部１３４は、記憶部１２に記憶されている決済履歴情報を参照することにより、店舗における過去の決済金額を特定し、特定した過去の決済金額に基づいて金額の範囲を決定する。決定部１３４は、例えば、特定した過去の決済金額に基づいて、決済金額の上限を第２の金額とし、第２の金額以下を金額の範囲と決定してもよい。この場合、決定部１３４は、決済履歴情報に含まれる決済日時を参照し、店舗における現在から所定時間前までの期間の決済金額に基づいて、金額の範囲を決定してもよい。
【００５４】
また、決定部１３４は、金額の範囲の下限と上限とを決定してもよい。例えば、決定部１３４は、店舗の業種によって決定する第１の金額以上、かつ、過去の決済金額により特定される第２の金額以下を金額の範囲と決定してもよい。このようにすることで。記憶制御部１３３は、店舗に対応する金額の範囲を自動的に決定することができる。
【００５５】
決済用情報受信部１３５は、トークン送信部１３２が送信した決済用トークンに基づいて店舗端末３が表示した決済用コードを読み取ったユーザ端末２から、ユーザＩＤと、ユーザの店舗における決済金額と、決済用トークンとを受信する。
【００５６】
決済処理部１３６は、ユーザ端末２から受信した決済金額が、ユーザ端末２から受信した決済用トークンに対応する店舗ＩＤに関連付けられて記憶部１２に記憶されている範囲情報が示す金額の範囲に含まれている場合、ユーザ端末２から受信したユーザＩＤ及び決済金額と、ユーザ端末２から受信した決済用トークンに対応する店舗ＩＤとに基づいて決済を実行する。
【００５７】
具体的には、決済処理部１３６は、ユーザ端末２から受信した決済用トークンに関連付けて記憶部１２に記憶されている店舗ＩＤを特定する。決済用トークンに店舗ＩＤが含まれている場合には、決済処理部１３６は、ユーザ端末２から受信した決済用トークンから店舗ＩＤを抽出することにより店舗ＩＤを特定してもよい。そして、決済処理部１３６は、店舗ＩＤに関連付けて記憶部１２に記憶されている範囲情報を特定する。決済処理部１３６は、ユーザ端末２から受信した決済金額が、特定した範囲情報が示す金額の範囲に含まれているか否かを判定する。
【００５８】
決済処理部１３６は、決済金額が、特定した範囲情報が示す金額の範囲に含まれていると判定すると、ユーザ端末２から受信した決済金額を、ユーザ端末２から受信したユーザＩＤで特定されるユーザの口座から引き落とす処理を実行する。また、決済処理部１３６は、受信した決済用トークンから特定した店舗ＩＤで特定される店舗の口座に、ユーザ端末２から受信した決済金額を入金する処理を実行する。決済処理部１３６は、決済金額から、決済処理装置１における決済手数料を差し引いた金額を、店舗の口座に入金してもよい。決済処理部１３６は、決済金額の決済が完了した場合、決済が完了したことを示す決済完了情報をユーザ端末２及び店舗端末３に送信する。
【００５９】
決済処理部１３６は、受信した決済金額が、特定した範囲情報が示す金額の範囲に含まれていないと判定すると、受信したユーザＩＤと、決済用トークンとを関連付けて記憶部１２に記憶させる。また、決済処理部１３６は、受信した決済金額が、特定した範囲情報が示す金額の範囲に含まれていないと判定すると、決済金額が当該金額の範囲に含まれていないことにより決済を行うことができないことを示す情報と、決済金額の再入力の要求とをユーザ端末２に送信する。この場合、決済処理部１３６は、当該金額の範囲を示す情報をユーザ端末２に送信し、当該金額の範囲をユーザ端末２に表示させてもよい。このようにすることで、決済金額が金額の範囲に含まれていないことにより決済が行われないことをユーザ端末２のユーザや店舗の店員に把握させ、決済金額の再入力を促すことができる。
【００６０】
ユーザ端末２は、決済金額の再入力の要求を受信すると、決済用コードの読取を行わずに、決済金額の再入力のみを受け付ける。その後、ユーザ端末２において、決済金額の再入力が行われると、決済用情報受信部１３５は、ユーザ端末２から、決済用トークンを受信せずに、ユーザＩＤと、決済金額とを受信する。
【００６１】
決済処理部１３６は、ユーザ端末２から受信した、ユーザＩＤに関連付けて記憶部１２に記憶されている決済用トークンを特定する。決済処理部１３６は、受信したユーザＩＤと、再入力された決済金額と、特定した決済用トークンに対応する店舗ＩＤとに基づいて決済を実行する。この場合、決済処理部１３６は、再入力された決済金額が、当該店舗ＩＤに関連付けられて記憶部１２に記憶されている範囲情報が示す金額の範囲に含まれているか否かにかかわらず、決済を実行する。ユーザ端末２において再入力される決済金額は、決済金額が金額の範囲に含まれていないことにより決済が行われないことを把握したうえで正しく入力される可能性が高い。このため、決済処理部１３６は、範囲情報が示す金額の範囲に含まれていない場合であっても正しい決済金額である可能性が高いものとして、決済を進めることができる。
【００６２】
なお、決済処理部１３６は、再入力された決済金額が、当該店舗ＩＤに関連付けられて記憶部１２に記憶されている範囲情報が示す金額の範囲の上限を超えている場合に決済を実行し、当該金額の範囲の下限よりも低い場合に、決済を実行しないように制御してもよい。
【００６３】
［動作シーケンス］
図５は、決済システムＳの動作シーケンス図である。図６は、図５に続く動作シーケンス図である。
図５に示すシーケンス図は、店舗端末３が決済用コード発行要求を送信するところから開始している。店舗端末３の発行要求部３６１は、店舗情報と、決済用コードの発行要求とを決済処理装置１に送信する（Ｓ１）。
【００６４】
決済処理装置１の発行要求受信部１３１は、店舗端末３から、店舗情報と、決済用コードの発行要求とを受信する。トークン送信部１３２は、発行要求受信部１３１が決済用コードの発行要求を受信すると、決済用トークンを生成する（Ｓ２）。記憶制御部１３３は、発行要求受信部１３１が受信した店舗情報に基づいて生成した店舗ＩＤと、トークン送信部１３２が生成した決済用トークンとを関連付けて記憶部１２に記憶させる（Ｓ３）。
【００６５】
トークン送信部１３２は、生成した決済用トークンを、決済用コードの発行要求を送信した店舗端末３に送信する（Ｓ４）。店舗端末３のトークン受信部３６２は、決済処理装置１から決済用トークンを受信する。トークン受信部３６２は、受信した決済用トークンを記憶部３５に記憶させる（Ｓ５）。
【００６６】
範囲情報登録部３６３は、操作部３１を介して入力を受け付けた金額の範囲を示す範囲情報と、店舗情報とを含む範囲情報の登録要求を決済処理装置１に送信する（Ｓ６）。決済処理装置１の記憶制御部１３３は、店舗端末３から、範囲情報の登録要求を受信すると、受信した登録要求に含まれる店舗情報に基づく店舗ＩＤと、受信した登録要求に含まれる範囲情報とを関連付けて記憶部１２に記憶させる（Ｓ７）。
【００６７】
図６に処理を移す。店舗において、ユーザは、購入する商品を選択し、店舗端末３を使用する店員に選択した商品を持ち込む。店舗端末３の金額表示部３６４は、操作部３１において店員が入力した商品ＩＤ又は読取部３２が商品に付されたバーコードから読み取った商品ＩＤを一以上取得し、当該商品ＩＤから特定した商品の価格を集計した決済金額を表示部３４に表示させる（Ｓ８）。コード生成部３６５は、記憶部３５に記憶されている決済用トークンに基づく決済用コードを生成し、生成した決済用コードを表示部３４に表示させる（Ｓ９）。
【００６８】
ユーザは、ユーザ端末２を操作して、店舗端末３に表示された決済用コードをユーザ端末２に読み取らせる（Ｓ１０）。操作受付部２６１は、ユーザから、ユーザの店舗における決済金額の入力を受け付ける（Ｓ１１）。送信部２６４は、ユーザ端末２のユーザのユーザＩＤと、操作受付部２６１が入力を受け付けた決済金額と、決済用トークンとを決済処理装置１に送信する（Ｓ１２）。
【００６９】
決済処理装置１の決済用情報受信部１３５は、ユーザ端末２から、ユーザＩＤと、ユーザの店舗における決済金額と、決済用トークンとを受信する。
【００７０】
決済処理部１３６は、ユーザ端末２から受信した決済用トークンに関連付けて記憶部１２に記憶されている店舗ＩＤを特定する（Ｓ１３）。決済処理部１３６は、記憶部１２を参照して、特定した店舗ＩＤに関連付けられている範囲情報が示す金額の範囲を特定する（Ｓ１４）。決済処理部１３６は、特定した金額の範囲に、ユーザ端末２から受信した決済金額が含まれているかを判定する（Ｓ１５）。
【００７１】
決済処理部１３６は、特定した金額の範囲に、決済金額が含まれていると判定すると、ユーザ端末２から受信したユーザＩＤ及び決済金額と、ユーザ端末２から受信した決済用トークンに対応する店舗ＩＤとに基づいて決済を実行する（Ｓ１６）。決済処理部１３６は、決済が完了したことを示す決済完了情報をユーザ端末２に送信する（Ｓ１７）。ユーザ端末２の表示制御部２６２は、決済完了情報を表示部２４に表示させる（Ｓ１８）。
【００７２】
［変形例］
本シーケンスにおいて、ユーザ端末２は、決済用コードを読み取ってから決済金額を受け付けたが、これに限らない。ユーザ端末２は、決済金額を受け付けてから、決済用コードを読み取ってもよい。
【００７３】
また、本シーケンスにおいて、コード生成部３６５が、ユーザが商品を購入する際に、記憶部３５に記憶されている決済用トークンに基づいて決済用コードを生成し、表示部３４に表示させたが、これに限らない。店舗端末３の店員は、店舗端末３に決済用コードを表示させる代わりに、決済用コードを予め紙等に印刷しておき、ユーザが商品を購入する際に、紙等に印刷された決済用コードをユーザに提示してもよい。
【００７４】
また、本実施形態において、店舗端末３が決済用コード発行要求を送信し、決済処理装置１から決済用トークンを受信し、当該決済用トークンを記憶部３５に記憶させることとしたが、これに限らない。例えば、ユーザ端末２により決済用コードの発行要求を行わずに、郵送等の手段により決済処理装置１の事業者に決済用コードの発行を申請し、店舗側が、当該事業者から紙に印刷された決済用コードを取得してもよい。そして、店舗の店員は、ユーザが商品を購入する際に当該決済用コードをユーザに提示してもよい。
【００７５】
［決済システムＳによる効果］
以上説明したように、決済処理装置１は、店舗ＩＤと、店舗において決済を行うための決済用コードを用いて決済可能な金額の範囲を示す範囲情報とを関連付けて記憶部１２に記憶させておき、店舗端末３が表示した決済用コードを読み取ったユーザ端末２から、ユーザＩＤと、ユーザの店舗における決済金額と、決済用コードが示す決済用トークンとを受信する。決済処理装置１は、受信した決済金額が、ユーザ端末２から受信した決済用トークンに対応する店舗ＩＤに関連付けられて記憶部１２に記憶されている範囲情報が示す金額の範囲に含まれている場合に、ユーザ端末２から受信したユーザＩＤ及び決済金額と、当該店舗ＩＤとに基づいて決済を実行する。このようにすることで、決済処理装置１は、誤った金額で決済されることを抑制することができる。
【００７６】
以上、本発明を実施の形態を用いて説明したが、本発明の技術的範囲は上記実施の形態に記載の範囲には限定されず、その要旨の範囲内で種々の変形及び変更が可能である。例えば、装置の分散・統合の具体的な実施の形態は、以上の実施の形態に限られず、その全部又は一部について、任意の単位で機能的又は物理的に分散・統合して構成することができる。また、複数の実施の形態の任意の組み合わせによって生じる新たな実施の形態も、本発明の実施の形態に含まれる。組み合わせによって生じる新たな実施の形態の効果は、もとの実施の形態の効果を合わせ持つ。
【符号の説明】
【００７７】
１  決済処理装置
２  ユーザ端末
３  店舗端末
１１  通信部
１２  記憶部
１３  制御部
２１  操作部
２２  通信部
２３  読取部
２４  表示部
２５  記憶部
２６  制御部
３１  操作部
３２  読取部
３３  通信部
３４  表示部
３５  記憶部
３６  制御部
１３１  発行要求受信部
１３２  トークン送信部
１３３  記憶制御部
１３４  決定部
１３５  決済用情報受信部
１３６  決済処理部
２６１  操作受付部
２６２  表示制御部
２６３  取得部
２６４  送信部
３６１  発行要求部
３６２  トークン受信部
３６３  範囲情報登録部
３６４  金額表示部
３６５  コード生成部
【要約】
【課題】誤った金額で決済されることを抑制する。
【解決手段】決済処理装置１は、店舗を識別する店舗ＩＤと、店舗において決済を行うための決済用コードを用いて決済可能な金額の範囲を示す範囲情報とを記憶部１２に記憶させる記憶制御部１３３と、店舗端末３が表示した決済用コードを読み取ったユーザ端末２から、ユーザの店舗における決済金額と、決済用コードが示す決済用トークンとを受信する決済用情報受信部１３５と、ユーザ端末２から受信した決済金額が、ユーザ端末２から受信した決済用トークンに対応する店舗識別情報に関連付けられて記憶部１２に記憶されている範囲情報が示す金額の範囲に含まれている場合に、ユーザ端末２から受信した決済金額と、決済用トークンとに基づいて決済を実行する決済処理部１３６と、を有する。
【選択図】図２【図１】
0006910502.tif 000002
【図２】
0006910502.tif 000003
【図３】
0006910502.tif 000004
【図４】
0006910502.tif 000005
【図５】
0006910502.tif 000006
【図６】
0006910502.tif 000007